(57)【特許請求の範囲】
【請求項１】
便器本体と、該便器本体を洗浄する水を貯水するタンクと、該タンク内の水を前記便器本体に供給するポンプと、前記タンク内の水位に連動して上下するフロート及び該フロートの移動軸を有し前記タンク内の水位が予め定められた水位より低下したときにポンプ停止信号を発するフロートスイッチと、該フロートスイッチの発したポンプ停止信号を検知して前記ポンプを停止制御する制御装置とを備える水洗大便器であって、
前記タンクは、
前記タンクへ供給された水を前記タンク内へ流入させる流入口と、
前記流入口から流入する水の流れ方向と対向する位置に設けられ、前記流入口から流入した水の流れ方向が前記フロートに対向する流れ方向に変わるようにガイドすることで、前記流入口から流入した水を前記フロートに衝突させて前記移動軸に対して前記フロートを移動させるフロート移動手段と、
を有していることを特徴とする水洗大便器。
【請求項２】
前記フロート移動手段は、前記流入口から前記タンク内へ流入した水を前記フロートに側面から衝突させることを特徴とする請求項１記載の水洗大便器。
【請求項３】
便器本体と、該便器本体を洗浄する水を貯水するタンクと、該タンク内の水を前記便器本体に供給するポンプと、前記タンク内の水位に連動して上下するフロート及び該フロートの移動軸を有し前記タンク内の水位が予め定められた水位より低下したときにポンプ停止信号を発するフロートスイッチと、該フロートスイッチの発したポンプ停止信号を検知して前記ポンプを停止制御する制御装置とを備える水洗大便器であって、
前記タンクは、
前記フロートに対向するように開口し、前記タンク内へ水を供給する給水口を有し、
前記給水口から前記タンク内へ流入した水を前記フロートに衝突させて前記移動軸に対して前記フロートを移動させ、
前記給水口が、前記フロートの下方に位置していることを特徴とする水洗大便器。
【請求項４】
前記フロートが、前記水の運動エネルギーを前記フロートの回転運動エネルギーに変換する回転力変換部を外面に有していることを特徴とする請求項１乃至３に記載の水洗大便器。
【発明の詳細な説明】
【技術分野】
【０００１】
本発明は、タンク内の水位をフロートスイッチで検知する水洗大便器に関する。
【背景技術】
【０００２】
近年、タンク内の水位を検出する機構として例えばフロートスイッチが用いられている（例えば、特許文献１参照。）。
【０００３】
特許文献１に記載されている水洗大便器には、タンク内の水位が満水になったときＯＮとなりタンク内への給水を停止するための上方フロートスイッチと、便器洗浄時に加圧ポンプによるタンク内の水の汲み上げによりタンク内の水位が低下し、所定の水位にまで下がった時にＯＮとなり加圧ポンプを停止させるための下方フロートスイッチとが設けられている。
【先行技術文献】
【特許文献】
【０００４】
【特許文献１】特開２０１０−２３６２０２号公報
【発明の概要】
【発明が解決しようとする課題】
【０００５】
このような水洗大便器では、下方フロートスイッチのフロートがフロートの移動軸の下側に固着する場合がある。
この場合、水位上昇に伴って下方フロートスイッチのフロートが移動軸に沿って上昇しないため、水がタンク内にあるにも係わらずフロートが浮上しない異常状態が発生し、下方フロートスイッチがＯＮのままとなってしまい、加圧ポンプを停止させつづけた状態となってしまう。
これにより、便器洗浄時に便器本体に十分に水が供給されず、不完全な便器洗浄が行われてしまうという問題がある。
【０００６】
そこで、本発明は、前述したような従来技術の問題を解決するものであって、すなわち、本発明の一つの目的は、フロートの移動軸との固着によるフロートスイッチの作動不良を抑制し、確実に便器洗浄を行う水洗大便器を提供することである。
【課題を解決するための手段】
【０００７】
本請求項１に係る発明は、便器本体と、該便器本体を洗浄する水を貯水するタンクと、該タンク内の水を前記便器本体に供給するポンプと、前記タンク内の水位に連動して上下するフロート及び該フロートの移動軸を有し前記タンク内の水位が予め定められた水位より低下したときにポンプ停止信号を発するフロートスイッチと、該フロートスイッチの発したポンプ停止信号を検知して前記ポンプを停止制御する制御装置とを備える水洗大便器であって、前記タンクは、前記タンクへ供給された水を前記タンク内へ流入させる流入口と、前記流入口から流入する水の流れ方向と対向する位置に設けられ、前記流入口から流入した水の流れ方向が前記フロートに対向する流れ方向に変わるようにガイドすることで、前記流入口から流入した水を前記フロートに衝突させて前記移動軸に対して前記フロートを移動させるフロート移動手段と、を有していることにより、前述した課題を解決するものである。
【０００８】
本請求項１に係る発明の水洗大便器によれば、タンクが、タンク内に供給される水を強制的にフロートに衝突させて移動軸に対してフロートを移動させるフロート移動手段を有していることにより、フロートが水の衝突によって移動軸に対して強制的に移動し、フロートと移動軸との固着がはく離されるため、フロートと移動軸との固着によるフロートスイッチの作動不良を抑制し、確実に便器洗浄を行うことができる。
【０００９】
本請求項２に係る発明は、請求項１に記載された構成に加えて、前記フロート移動手段は、前記流入口から前記タンク内へ流入した水を前記フロートに側面から衝突させることにより、前述した課題をさらに解決するものである。
【００１０】
本請求項２に係る発明の水洗大便器によれば、請求項１に係る発明が奏する効果に加えて、フロート移動手段が、水をフロートに側面から衝突させることにより、フロートに対して水による移動軸の周方向に沿った衝突力が加わるため、フロートが移動軸に対して回転しやすくなり、フロートと移動軸との固着によるフロートスイッチの作動不良を抑制し、確実に便器洗浄を行うことができる。
【００１３】
本請求項３に係る発明は、便器本体と、該便器本体を洗浄する水を貯水するタンクと、該タンク内の水を前記便器本体に供給するポンプと、前記タンク内の水位に連動して上下するフロート及び該フロートの移動軸を有し前記タンク内の水位が予め定められた水位より低下したときにポンプ停止信号を発するフロートスイッチと、該フロートスイッチの発したポンプ停止信号を検知して前記ポンプを停止制御する制御装置とを備える水洗大便器であって、前記タンクは、前記フロートに対向するように開口し、前記タンク内へ水を供給する給水口を有し、前記給水口から前記タンク内へ流入した水を前記フロートに衝突させて前記移動軸に対して前記フロートを移動させ、前記給水口が、前記フロートの下方に位置していることにより、前述した課題をさらに解決するものである。
【００１４】
本請求項３に係る発明の水洗大便器によれば、給水口からタンク内へ流入した水をフロートに衝突させて移動軸に対してフロートを移動させることにより、新たな構造を有することなく、フロートと移動軸との固着によるフロートスイッチの作動不良を抑制し、確実に便器洗浄を行うことができる。また、給水口がフロートの下方に位置していることにより、フロートが下方から噴射される水により移動軸に対して強制的に上方に移動するため、確実にフロートと移動軸との固着を抑制することができる。
【００１７】
本請求項５に係る発明は、請求項１乃至４に記載された構成に加えて、前記フロートが、前記水の運動エネルギーを前記フロートの回転運動エネルギーに変換する回転力変換部を外面に有していることにより、前述した課題をさらに解決するものである。
【００１８】
本請求項５に係る発明の水洗大便器によれば、請求項１乃至４に係る発明が奏する効果に加えて、フロートが、水の運動エネルギーをフロートの回転運動エネルギーに変換する回転力変換部を外面に有していることにより、水の衝突力を受けるフロートの面積が広がることに加え、衝突力の加わる位置が移動軸から遠ざかり、水がフロートに与える回転モーメントが回転力変換部のない場合に比べて大きくなるため、フロートが移動軸に対して回転しやすくなり、フロートと移動軸との固着による下方フロートスイッチの作動不良を抑制し、確実に便器洗浄を行うことができる。
【発明の効果】
【００１９】
本発明により、フロートと移動軸との固着によるフロートスイッチの作動不良を抑制し、確実に便器洗浄を行う水洗大便器を提供することができる。
【図面の簡単な説明】
【００２０】
【図１】本発明の第１実施形態の水洗大便器の外観斜視図。
【図２】本発明の第１実施形態の水洗大便器の側面パネルと衛生洗浄便座を除いた状態の斜視図。
【図３】本発明の第１実施形態のタンクの外観斜視図。
【図４】本発明の第１実施形態のタンクの上面図。
【図５】本発明の第１実施形態のタンクのＡ−Ａ断面図。
【図６】本発明の第１実施形態のタンクのＢ−Ｂ断面図。
【図７】本発明の第１実施形態のタンクの排水管を除いた状態のＡ−Ａ断面図。
【図８】本発明の第１実施形態の水洗大便器の洗浄水路の概略図。
【図９】本発明の第２実施形態のタンクのＢ−Ｂ断面図。
【図１０】本発明の第３実施形態のタンクのＢ−Ｂ断面図。
【図１１】本発明の第４実施形態のタンクのＢ−Ｂ断面図。
【発明を実施するための形態】
【００２１】
（第１実施形態）
図１は本発明の第１実施形態である水洗大便器１００の外観斜視図であり、本発明の本発明の第１実施形態である水洗大便器１００には、便器本体１１０と、便器本体１１０の後方の側面を隠蔽する側面パネル１２０と、便器本体１１０に載置された衛生洗浄便座１３０とを備えている。
【００２２】
図２は本発明の第１実施形態である水洗大便器１００において、側面パネル１２０と衛生洗浄便座１３０とを除いた状態の斜視図である。
便器本体１１０の後方には、便器本体１１０を洗浄する水Ｗを貯水するタンク１４０と、このタンク１４０内の水Ｗを便器本体１１０に供給するポンプ１５０とを更に備えている。
【００２３】
次にタンク１４０の構造について、図３乃至図７を用いて説明する。
図３はタンク１４０の外観斜視図であり、図４はタンク１４０の上面図であり、図５はタンク１４０のＡ−Ａ断面図であり、図６はタンク１４０のＢ−Ｂ断面図である。
【００２４】
図４に示すように、タンク１４０は前後方向に非対称であり、左右方向にも非対称である。
そして、タンク１４０は、タンク上蓋１４１とタンク本体１４２とが係合することによって形成されている。
タンク上蓋１４１は、図示されない給水源に接続された給水管が接続される給水口１４１ａを備えている。
そして、図６に示すように、タンク上蓋１４１のタンク本体１４２内部と対向する面には、流入口１４１ｂを備えており、給水口１４１ａと連通している。
【００２５】
さらに、タンク１４０内の水位が予め定められた水位に達したときに給水弁閉止信号を発する上方フロートスイッチ１４３が、給水口１４１ａよりも前方かつ右側方にあり、タンク上蓋１４１よりタンク本体１４２内に挿入され、図６に示すようにタンク上蓋１４１から垂下している。
そして、上方フロートスイッチ１４３は、円環状のフロート１４３ａと、フロート１４３ａに貫入されてフロート１４３ａの上下動時の上下方向以外の並進運動を規制する円柱状の移動軸１４３ｂと、移動軸１４３ｂの先端にフロート１４３ａの脱落防止のための止め輪１４３ｃとを備えている。
【００２６】
タンク本体１４２は、図５に示すように複数の底面を備えている。
そしてタンク本体１４２は、タンク本体１４２内にタンク１４０内の水位が予め定められた水位ＤＬ１より低下したときにポンプ停止信号を発するフロートスイッチである下方フロートスイッチ１４４と、タンク１４０内のタンク内空間Ｖに貯水された水Ｗを汲み上げる排出管１４５とが設けられている。
【００２７】
排出管１４５は、図５および図６に示すように、タンク本体１４２内で最も低い底面である最下面１４２ａと対向する排出管開口１４５ａと、さらに排出管開口１４５ａから上方に伸び、タンク本体１４２の中央付近で右側方に屈曲し、タンク本体１４２の側面からタンク１４０外部へと伸びている排水管本管１４５ｂとを備えている。
【００２８】
下方フロートスイッチ１４４は、タンク１４２内で最も低い底面である最下面１４２ａより上方にある第二底面１４２ｂから直立しており、円環状のフロート１４４ａと、フロート１４４ａに貫入されてフロート１４４ａの上下動時の上下方向以外の並進運動を規制する円柱状の移動軸１４４ｂと、移動軸１４４ｂの先端にフロート１４４ａの抜け防止のための止め輪１４４ｃとを備えている。
【００２９】
さらに、タンク１４０はタンク内空間Ｖへ流入した水Ｗによる水流Ｓを下方フロートスイッチ１４４に向けて偏向させる水流偏向部１４６を備えている。
【００３０】
この水流偏向部１４６について、図６および図７を用いて説明する。
図７は、図４に示したタンク１４０において排出管１４５を除いた状態のＡ−Ａ断面図である。
【００３１】
水流偏向部１４６は、平板を屈曲点１４６ｂで折り曲げて作られており、支持材１４６ｄでタンク本体１４２に支持されている。
水流偏向部１４６の後端１４６ａは前端１４６ｂより上方に位置し、流入口１４１ｂからタンク内空間Ｖに流入する水Ｗによる水流Ｓが衝突するように後端１４６ａから屈曲点１４６ｂで構成される面が流入口１４１ｂと対向している。
【００３２】
また、図７に示すように、水流偏向部１４６は、左右方向において下方フロートスイッチ１４４のフロート１４４ａの中心軸より左側方で対向している。
【００３３】
続いて、図５および図８に基づいて、本発明の第１実施形態の水洗大便器１００における動作について説明する。
【００３４】
まず、本発明の第１実施形態におけるタンク１４０の通常の給排水動作について説明する。
【００３５】
図８は本発明の第１実施形態の水洗大便器１００の洗浄水路の概略図である。
【００３６】
使用者が水洗大便器１００の図示しないリモコン等を操作して便器洗浄開始信号を水洗大便器１００に送信する。
タンク１４０内には便器洗浄で使用する量の水Ｗが貯水されており、水洗大便器１００が洗浄開始信号を受信すると、ポンプ１５０が駆動し、排出管１４５よりタンク１４０内の水Ｗを汲み取って、ポンプ１５０を介して、便器本体１１０へ供給する。
【００３７】
この際、ポンプ１５０によるタンク１４０内の水Ｗの汲み上げにより、タンク１４０内の水位が低下する。
この水位低下に伴い、下方フロートスイッチ１４４のフロート１４４ａも移動軸１４４ｂに沿って下方に移動する。
そして、フロート１４４ａが所定位置ＤＬ１より下回ると、下方フロートスイッチ１４４がＯＮとなる。
下方フロートスイッチ１４４がＯＮとなると、ポンプ停止信号を制御装置１６０に送信する。
ポンプ停止信号を受信した制御装置１６０は、ポンプ１４０を停止させる。
これにより、排水動作が完了する。
【００３８】
便器本体１１０の洗浄後、制御装置１６０が給水弁ＦＶを開き、タンク１４０内に水Ｗを供給する。
このとき、タンク１４０内への水Ｗの流入に伴い、タンク１４０内の水位が上昇する。
この水位上昇に伴い、上方フロートスイッチ１４３のフロート１４３ａも上方に移動する。
そして、フロート１４３ａが所定位置ＵＬ１より上回ると、上方フロートスイッチ１４３がＯＮとなる。
上方フロートスイッチ１４３がＯＮとなると、給水弁閉止信号を制御装置１６０に送信する。
給水弁閉止信号を受信した制御装置１６０は、給水弁ＦＶを閉止する。
これにより、給水動作が完了する。
【００３９】
次いで、図６および図７に基づいて、本発明の第１実施形態の水洗大便器１００において、フロートが移動軸の上方あるいは下方に固着した際のフロート固着はく離動作について説明する。
【００４０】
制御装置１６０が給水弁ＦＶを開くと、水Ｗが給水口１４１ａからタンク１４０内に流入する。
そして、給水口１４１ａからタンク１４０内に流入した水Ｗは、流入口１４１ｂからタンク内空間Ｖに供給される。
【００４１】
流入口１４１ｂからタンク内空間Ｖに供給された水Ｗによる水流Ｓは、まず流入口１４１ｂの直下にある水流偏向部１４６の後端１４６ａと屈曲点１４６ｂとで構成される面に衝突する。
そして、後端１４６ａと屈曲点１４６ｂとで構成される面に衝突した水流Ｓは、屈曲点１４６ｂと前端１４６ｃとで構成される面に沿って曲げられ、フロート１４４ａの側面に衝突する。
すなわち、水流偏向部１４６により、流入口１４１ｂからタンク内空間Ｖに供給された水Ｗによる水流Ｓの向きが、下方へ向かう向きから、前方へ向かう向きに変わる。
このとき、図７に示したように、水流偏向部１４６が、左右方向において下方フロートスイッチ１４４のフロート１４４ａの中心軸より左側方で対向していることにより、水流Ｓがフロート１４４ａの中心軸より左側方の側周面の一部に衝突するため、フロート１４４ａを一方向に回転させるような回転力がフロート１４４ａに生じる。
この回転力によって、フロート１４４ａが移動軸１４４ｂに対して強制的に回動し、フロート１４４ａと移動軸１４４ｂとの固着をはく離できる。
つまり、水流偏向部１４６がフロート１４４ａをタンク１４０内の水位上昇に伴う移動させるのではなく強制的に移動させるフロート移動手段として機能する。
【００４２】
なお、本実施形態では、水流偏向部１４６が、左右方向において下方フロートスイッチ１４４のフロート１４４ａの中心軸より左側方で対向しているとしたが、水流偏向部１４６が、左右方向において下方フロートスイッチ１４４のフロート１４４ａの中心軸より右側方で対向してもよい。
また、本実施形態では、下方フロートスイッチ１４４がＯＮとなると、ポンプ停止信号を制御装置１６０に送信するとしたが、下方フロートスイッチ１４４がＯＦＦとなると、ポンプ停止信号を制御装置１６０に送信してもよい。
同様に、上方フロートスイッチ１４３がＯＦＦとなると、給水弁閉止信号を制御装置１６０に送信してもよい。
【００４３】
このようにして得られた本発明の第１実施形態の水洗大便器１００は、タンク１４０が、タンク１４０内に供給される水Ｗを強制的にフロート１４４ａに衝突させて移動軸１４４ｂに対してフロート１４４ａを移動させるフロート移動手段である水流偏向部１４６を有していることにより、フロート１４４ａが水Ｗの衝突によって移動軸１４４ｂに対して強制的に移動し、フロート１４４ａと移動軸１４４ｂとの固着がはく離されるため、フロート１４４ａと移動軸１４４ｂとの固着による下方フロートスイッチ１４４の作動不良を抑制し、確実に便器洗浄を行うことができる。
例えば、下方フロートスイッチ１４４がポンプ停止信号を発している状態であるフロート１４４ａが移動軸１４４ｂの下方で固着した状態であったとしても、フロート移動手段である水流偏向部１４６を有していることにより、フロート１４４ａが水Ｗの衝突によって移動軸１４４ｂに対して強制的に移動し、フロート１４４ａと移動軸１４４ｂとの固着がはく離され、タンク１４０内の水位上昇に伴いフロート１４４ａが移動軸１４４ｂに対して移動するようになる。
これにより、タンク１４０内の水位が予め定められた水位ＵＬ１に到達した後に、図示しないリモコン等から便器洗浄開始信号を水洗大便器１００に送信されると、下方フロート１４４がポンプ停止信号を発していないため、ポンプ１５０が駆動でき、タンク１４０内の水Ｗが排水管１４５から汲み上げられる。
そして、水位が予め定められた水位ＤＬ１より低下すると、下方フロートスイッチ１４４がポンプ停止信号を発し、ポンプ停止信号を受信した制御装置１６０がポンプ停止制御を行う。
【００４４】
さらに、フロート移動手段である水流偏向部１４６が、水Ｗをフロート１４４ａに側面から衝突させることにより、フロート１４４ａに対して水による移動軸１４４ｂの周方向に沿った衝突力が加わるため、フロート１４４ａが移動軸１４４ｂに対して回転しやすくなり、フロート１４４ａと移動軸１４４ｂとの固着による下方フロートスイッチ１４４の作動不良を抑制し、確実に便器洗浄を行うことができる。
加えて、フロート１４４ａの回転によって移動軸１４４ｂとの固着をはく離するため、フロート１４４ａの移動軸１４４ｂからのはく離に伴うフロート１４４ａの上下動を抑制し、下方フロートスイッチ１４４の誤作動を無くすことができる。
【００４５】
さらに、フロート移動手段が、給水口１４１ａから供給される水Ｗの流れを偏向させる水流偏向部１４６であることにより、水Ｗが水流偏向部１４６によってフロート１４４ａに回転力を与えるため、簡便な構造でフロート１４４ａと移動軸１４４ｂとの固着を抑制することができる。
【００４６】
（第２実施形態）
次に、図９に基づいて、本発明の第２実施形態の水洗大便器２００におけるタンク２４０について説明する。
【００４７】
図９は本発明の第２実施形態の水洗大便器２００におけるタンク２４０のＢ−Ｂ断面図であり、第２実施形態のタンク２４０は、第１実施形態の水洗大便器１００のフロート１４４ａの外面に羽根を設けたものであり、多くの要素について第１実施形態の水洗大便器１００と共通するので、共通する事項については詳しい説明を省略し、下２桁が共通する２００番台の符号を付すのみとする。
【００４８】
下方フロートスイッチ２４４は、フロート２４４ａの外面に更に羽根２４４ｄを備えている。
羽根２４４ｄは、前後方向に２枚、左右方向に２枚の計４枚あり、それぞれフロート２４４ａの外面から周方向に突出している。そして、隣り合う各羽根の成す角度は９０度である。
【００４９】
これにより、フロート２４４ａの側周面の一部に衝突する水流Ｓがフロート２４４ａと衝突する面積が広がる。
すなわち水流Ｓによる衝突力を受けるフロート２４４ａの面積が広がる。
加えて、衝突力の加わる位置が移動軸２４４ｂから遠ざかり、水Ｗがフロート２４４ａに与える回転モーメントが羽根２４４ｄのない場合に比べて大きくなるため、フロート２４４ａが移動軸２４４ｂに対して回転しやすくなり、フロート２４４ａと移動軸２４４ｂとの固着による下方フロートスイッチ２４４の作動不良を抑制し、確実に便器洗浄を行うことができる。
よって、羽根２４４ｄは水の運動エネルギーをフロート２４４ａの回転運動エネルギーに変換する回転力変換部として機能する。
【００５０】
なお、本実施形態においては、下方フロートスイッチ２４４に羽根２４４ｄを設けたが、羽根は下方フロートスイッチ２４４に限定されるものでなく、上方フロートスイッチ２４３にも設けてもよい。
また、本実施形態においては、羽根２４４ｄのそれぞれが成す角度は９０度であるが、羽根２４４ｄのそれぞれが成す角度は９０度に限定されるものではない。
さらに、本実施形態においては、羽根２４４ｄの枚数は４枚であるが、４枚に限定されるものではない。
さらに、羽根２４４ｄは図９においては、上下方向に延びているが、水流Ｓを回転力に変換できるものであれば、如何なる形状であっても構わない。たとえば、上下方向に対して傾斜していてもよい。
【００５１】
（第３実施形態）
次に、図１０に基づいて、本発明の第３実施形態の水洗大便器３００におけるタンク３４０について説明する。
【００５２】
図１０は本発明の第３実施形態の水洗大便器３００におけるタンク３４０のＢ−Ｂ断面図であり、第３実施形態のタンク３４０は、第１実施形態の水洗大便器１００のタンク１４０内にホースを設けたものであり、多くの要素について第１実施形態の水洗大便器１００と共通するので、共通する事項については詳しい説明を省略し、下２桁が共通する３００番台の符号を付すのみとする。
【００５３】
第３実施形態において、ホース３４７は、一端が流入口３４１ｂに直結され、他端が下方フロートスイッチ３４４のフロート３４４ａに向けて開口されるように曲成されている。
ホース３４７の開口は、左右方向においてフロート３４４ａの中心軸より左側方で対向している。
これにより、ホース３４７から噴出された水流Ｓがフロート３４４ａの側周面の一部に衝突するため、フロート３４４ａに回転力が生じる。
この回転力によって、フロート３４４ａが下方フロートスイッチ３４４の移動軸３４４ｂに対して強制的に回動する。
つまり、ホース３４７がフロート３４４ａを強制的に移動させるフロート移動手段として機能する。
【００５４】
なお、本実施形態では、ホース３４７が、左右方向においてフロート３４４ａの中心軸より左側方で対向しているとしたが、ホース３４７が、左右方向においてフロート３４４ａの中心軸より右側方で対向してもよい。
【００５５】
（第４実施形態）
次に、図１１に基づいて、本発明の第４実施形態の水洗大便器４００におけるタンク４４０について説明する。
【００５６】
図１１は本発明の第４実施形態の水洗大便器４００におけるタンク４４０のＢ−Ｂ断面図であり、第４実施形態のタンク４４０は、第１実施形態の水洗大便器１００のタンク１４０の給水口１４１ａの位置をタンク本体側に移動させたものであり、多くの要素について第１実施形態の水洗大便器１００と共通するので、共通する事項については詳しい説明を省略し、下２桁が共通する４００番台の符号を付すのみとする。
【００５７】
第４実施形態においては、給水口４４２ｃはタンク本体４４２の側面に設けられており、上下方向において下方フロートスイッチ４４４のフロート４４４ａの対向する位置に開口している。
さらに、給水口４４２ｃの開口は、左右方向においてフロート４４４ａの中心軸より左側方でフロート４４４ａの一部と左右方向で対向している。
【００５８】
次いで、図１１に基づいて、本発明の第４実施形態の水洗大便器４００におけるフロート固着はく離動作について説明する。
【００５９】
制御装置４６０が給水弁ＦＶを開くと、水Ｗが給水口４４２ｃよりタンク４４０内に供給される。このとき、給水口４４２ｃから流入した水Ｗによる水流Ｓが、直接フロート４４４ａの中心軸より左側方の側周面の一部に衝突し、フロート４４４ａを一方向に回転させるような回転力がフロート４４４ａに生じる。
この回転力によって、フロート４４４ａが下方フロートスイッチ４４４の移動軸４４４ｂに対して強制的に回動し、フロート４４４ａと移動軸４４４ｂとの固着をはく離できる。
つまり、タンク本体４４２の側面にあり、フロート４４４ａの対向する位置に開口された給水口４４２ｃがフロート４４４ａを強制的に移動させるフロート移動手段として機能する。
【００６０】
このようにして得られた本発明の第４実施形態の水洗大便器４００は、フロート移動手段が、水Ｗをタンク４４０内に給水してフロート４４４ａに直接衝突させるようにタンク４４０に配置された給水口４４２ｃであることにより、フロート移動手段として特別な構造を有する必要がなくなるため、簡便な構造でフロート４４４ａと移動軸４４４ｂとの固着を抑制することができる。
【００６１】
なお、本実施形態では、給水口４４２ｃが、左右方向においてフロート４４４ａの中心軸より左側方で対向しているとしたが、給水口４４２ｃが、左右方向においてフロート４４４ａの中心軸より右側方で対向してもよい。
【００６２】
また、給水口４４２ｃは、フロート４４４ａの直下に位置していてもよい。
これにより、フロート４４４ａが下方にある給水口４４２ｃから噴射される水Ｗによる水流Ｓにより移動軸４４４ｂに対して強制的に上方に移動するため、確実にフロート４４４ａと移動軸４４４ｂとの固着を抑制することができる。
【００６３】
本発明は、便器本体と、該便器本体を洗浄する水を貯水するタンクと、該タンク内の水を前記便器本体に供給するポンプと、前記タンク内の水位に連動して上下するフロート及び該フロートの移動軸を有し前記タンク内の水位が予め定められた水位より低下したときにポンプ停止信号を発するフロートスイッチと、該フロートスイッチの発したポンプ停止信号を検知して前記ポンプを停止制御する制御装置とを備える水洗大便器であって、前記タンクが、該タンク内に供給される水を強制的に前記フロートに衝突させて前記移動軸に対して前記フロートを移動させるフロート移動手段を有しており、フロートと移動軸との固着によるフロートスイッチの作動不良を抑制し、確実に便器洗浄を行うものであれば、その具体的な実施態様は、如何なるものであっても構わない。
例えば、前述した各実施形態が備える各構成は、技術的に可能な限り組み合わせることができれば、これらを組み合わせたものであってもよい。
また、本発明は下方フロートスイッチの固着はく離について限定されるものではなく、他のフロートスイッチの固着はく離をするものであってもよい。
【符号の説明】
【００６４】
１００、  ２００、  ３００、  ４００    ・・・  水洗大便器
１１０                                  ・・・  便器本体
１２０                                  ・・・  側面パネル
１３０                                  ・・・  衛生洗浄便座
１４０、  ２４０、  ３４０、  ４４０    ・・・  タンク
１４１、  ２４１、  ３４１、  ４４１    ・・・  タンク上蓋
１４１ａ、２４１ａ、３４１ａ            ・・・  給水口
１４１ｂ、２４１ｂ、３４１ｂ            ・・・  流入口
１４２、  ２４２、  ３４２、  ４４２    ・・・  タンク本体
１４２ａ、２４２ａ、３４２ａ、４４２ａ  ・・・  最下面
１４２ｂ、２４２ｂ、３４２ｂ、４４２ｂ  ・・・  第二底面
４４２ｃ  ・・・  給水口（フロート移動手段）
１４３、  ２４３、  ３４３、  ４３３    ・・・  上方フロートスイッチ
１４３ａ、２４３ａ、３４３ａ、４４３ａ  ・・・  フロート
１４３ｂ、２４３ｂ、３４３ｂ、４４３ｂ  ・・・  移動軸
１４３ｃ、２４３ｃ、３４３ｃ、４４３ｃ  ・・・  止め輪
１４４、  ２４４、  ３４４、  ４４４    ・・・  下方フロートスイッチ（フロートスイッチ）
１４４ａ、２４４ａ、３４４ａ、４４４ａ  ・・・  フロート
１４４ｂ、２４４ｂ、３４４ｂ、４４４ｂ  ・・・  移動軸
１４４ｃ、２４４ｃ、３４ｄｃ、４４４ｃ  ・・・  止め輪
２４４ｄ                      ・・・  羽根（回転力変換部）
１４５、  ２４５、  ３４５、  ４４５    ・・・  排出管
１４５ａ                                ・・・  排出管開口
１４５ｂ                                ・・・  排出管本管
１４６                                  ・・・  水流偏向部（フロート移動手段）
１４６ａ                                ・・・  後端
１４６ｂ                                ・・・  屈曲点
１４６ｃ                                ・・・  前端
１４６ｄ                                ・・・  支持材
３４７              ・・・  ホース（フロート移動手段）
１５０                        ４５０    ・・・  ポンプ
１６０                        ４６０    ・・・  制御装置
ＤＬ１、ＵＬ１                        ・・・  予め定められた水位
ＦＶ                                  ・・・  給水弁
Ｓ                                    ・・・  水流
Ｖ                                    ・・・  タンク内空間
Ｗ                                    ・・・  水
【図１】
0006454989.tif 000002
【図２】
0006454989.tif 000003
【図３】
0006454989.tif 000004
【図４】
0006454989.tif 000005
【図５】
0006454989.tif 000006
【図６】
0006454989.tif 000007
【図７】
0006454989.tif 000008
【図８】
0006454989.tif 000009
【図９】
0006454989.tif 000010
【図１０】
0006454989.tif 000011
【図１１】
0006454989.tif 000012